(57)【要約】【課題】液晶パネルの金属ケースや樹脂枠の形状に依存することなく、バックライトを任意に組合わせるとともに、液晶パネルの下側に配されるレンズフィルムとの間に適正な隙間が維持できるようにし、これによってバックライトの汎用性を向上する。【解決手段】バックライト２２の導光板３１の前面側あるいは上面に突部３７を形成し、この突部３７によって液晶パネル２１の樹脂枠２７の下面を支持する。また導光板３１に設けられている支持部３８によってフレーム３６の底板との間に隙間４２を形成し、この隙間４２に配される反射フィルム３５が荷重を受けないようにする。【選択図】図４
2008040096.tif 000002
【特許請求の範囲】
【請求項１】
バックライトの前方に液晶パネルを配した液晶表示装置において、
前記バックライトの導光板に突部を設け、該突部によって前記液晶パネルを支持するようにしたことを特徴とする液晶表示装置。
【請求項２】
前記突部が前記導光板の周縁部の複数個所に設けられていることを特徴とする請求項１に記載の液晶表示装置。
【請求項３】
前記突部が前記導光板の前面側に重合わされる光学フィルムの周縁部の切込みから突出することを特徴とする請求項２に記載の液晶表示装置。
【請求項４】
前記光学フィルムの周縁部の切込みが、この光学フィルムをバックライトの外筐に取付ける耳の根元部位に形成されていることを特徴とする請求項３に記載の液晶表示装置。
【請求項５】
前記突部によって前記液晶パネルを支えることにより、該液晶パネルと前記光学フィルムとの間に隙間が形成されることを特徴とする請求項１に記載の液晶表示装置。
【請求項６】
前記突部が前記液晶パネルの外周部に取付けられる枠体を介して前記液晶パネルを支持することを特徴とする請求項１に記載の液晶表示装置。
【請求項７】
前記導光板の背面側に背面方向に突出する支持部が設けられ、該支持部を介して前記導光板が前記バックライトの外筐内に支持されることを特徴とする請求項１に記載の液晶表示装置。
【請求項８】
前記支持部によって形成される前記導光板と前記バックライトの外筐の底部との間の隙間に反射フィルムが配されることを特徴とする請求項７に記載の液晶表示装置。
【発明の詳細な説明】
【技術分野】
【０００１】
本発明は表示装置に係り、とくにバックライトの前方に液晶パネルを配するようにした液晶表示装置に関する。
【背景技術】
【０００２】
各種の電子器機の映像表示装置として、液晶パネルを用いた液晶表示装置が広く用いられている。ここで液晶パネルは、自ら光を発光するものではないために、バックライトを備えるようにしており、このバックライトによって背面側から光を照射して所望の明るさの表示を行なうようにしている。
【０００３】
例えば特開２００１−１６６１１６号公報に記載されているように、液晶パネルの背面側に導光板を備え、この導光板に対してその側端に配された光源から光を入射し、この光を導光板の底面で前方に反射させることにより、液晶パネルを背面側から照明するようにしている。
【０００４】
このような液晶表示装置において、その信頼性を確保するために、液晶表示パネルとバックライトの前方側あるいは上側の光学フィルムとの間に隙間を必要とする。これは、両者の間に空気層が存在しないと、光学フィルム中の一番上側に配されるレンズフィルムの模様が液晶パネルを通して見えてしまうからである。そして例えば大きさが５インチ以下の液晶表示装置の場合には、液晶パネルの背面側の偏光板と前面側のレンズフィルムとの間に０．１〜０．２ｍｍ程度の隙間を設けている。
【０００５】
このような隙間を設けるためには、液晶パネルをバックライトに対して浮かした状態で支持する必要がある。そこで従来は、例えば図６Ａに示す構造が採用されていた。まずこの液晶表示パネルの全体の概要を説明すると、液晶表示装置が主として液晶パネル１とバックライト２とから構成されており、液晶パネル１はその外周側の部分が断面Ｌ字状の樹脂枠３によって囲まれている。そしてこの樹脂枠３には外周側に突出する突片４が形成され、この突片４が液晶パネルの外筐を構成する金属ケース５とバックライトの外筐を構成するフレーム６との間の部分に支持されるようになっていた。なお導光板１０の上側にはレンズフィルム１１、１２と拡散フィルム１３とが重ねて配されるようになっている。
【０００６】
ここで液晶パネル１を囲むように取付けられる樹脂枠３の側面に上述の如く突片４を設け、この突片４をバックライト２のフレーム６の上端に接触させた状態で支持するようにしている。この構成は、突片４を有しないか形成することができない樹脂枠３には適用できないために、汎用性が低くなる。
【０００７】
図６Ｂは別の構成を示している。ここではバックライト２のフレーム６の内側に重合うように内枠１５を設けるようにし、この内枠１５によって液晶パネル１の外周側の樹脂枠３を支える構造としている。この構造は、内枠１５を必要とし、部品点数が増加する。従ってコストの面で不利になる。ここで液晶パネル１の樹脂枠３と内枠１５とを一体化して部品点数の増加を防ぐことも可能だが、このような構造にすると、液晶パネル１の部分とバックライト２の部分とが一体化することになる。従って液晶パネル１とバックライト２との組合わせが限定的になり、このためにバックライト２を各種の液晶パネルに汎用して用いることができず、汎用性が損なわれる。
【特許文献１】特開２００１−１６６１１６号公報
【特許文献２】特開２００１−２１５５０５号公報
【発明の開示】
【発明が解決しようとする課題】
【０００８】
本願発明の課題は、液晶パネルの枠体の形状に依存することなく、バックライトを任意に組合わせることを可能にし、これによってバックライトの汎用性を高めるようにした液晶表示装置を提供することである。
【０００９】
本願発明の別の課題は、バックライトの部分の部品点数を増加させることなく、しかも液晶パネルとバックライトとを組合わせることが可能な液晶表示装置を提供することである。
【００１０】
本願発明のさらに別の課題は、液晶パネルをバックライトの前方の光学フィルムに対して浮かして支持することにより、光学フィルムの模様が前方から見えるのを防止して信頼性を高めるようにした液晶表示装置を提供することである。
【００１１】
本願発明のさらに別の課題は、バックライトの背面側に配される反射シートに対してバックライトの荷重が付加するのを防止するようにした液晶表示装置を提供することである。
【００１２】
本願発明の上記の課題および別の課題は、以下に述べる本願発明の技術的思想、およびその実施の形態によって明らかにされる。
【課題を解決するための手段】
【００１３】
本願の主要な発明は、バックライトの前方に液晶パネルを配した液晶表示装置において、
前記バックライトの導光板に突部を設け、該突部によって前記液晶パネルを支持するようにしたことを特徴とする液晶表示装置に関するものである。
【００１４】
ここで、前記突部が前記導光板の周縁部の複数個所に設けられてよい。また前記突部が前記導光板の前面側に重合わされる光学フィルムの周縁部の切込みから突出するようにしてよい。また前記光学フィルムの周縁部の切込みが、この光学フィルムをバックライトの外筐に取付ける耳の根元部位に形成されてよい。また前記突部によって前記液晶パネルを支えることにより、該液晶パネルと前記光学フィルムとの間に隙間が形成されてよい。また前記突部が前記液晶パネルの外周部に取付けられる枠体を介して前記液晶パネルを支持してよい。また前記導光板の背面側に背面方向に突出する支持部が設けられ、該支持部を介して前記導光板が前記バックライトの外筐内に支持されるようにしてよい。また前記支持部によって形成される前記導光板と前記バックライトの外筐の底部との間の隙間に反射フィルムが配されてよい。
【００１５】
本願発明の好ましい態様は、液晶パネルとバックライトとが両面接着テープ等の粘着物を介することなく結合している液晶表示装置において、バックライトの導光板の上面に設けた突部が液晶パネルを支えるようにした構造である。とくにここで、バックライトの導光板に設けられる突起が、導光板上の光学フィルムの取付け耳の根元側の切込みに受入れられるようになっており、これによって突部を設けても液晶表示装置の見栄えが損なわれないようにしている。また液晶パネルから受ける荷重がバックライトの導光板の下側の反射フィルムに加わることを回避するために、導光板の下面に支持部を設けるようにする。
【００１６】
上記のような態様によると、液晶パネルの金属ケースと樹脂枠の形状に依存することなくバックライトを液晶パネルに組合わせることが可能になるために、バックライトの汎用性が飛躍的に向上する。またバックライトを構成する部品点数を増やすことなく、液晶パネルとバックライトとを組合わせることが可能になる。またバックライトの部品点数を増加することなく、下側に配される反射シートへの荷重の付加を回避できるようになる。
【発明の効果】
【００１７】
本願の主要な発明は、バックライトの前方に液晶パネルを配した液晶表示装置において、バックライトの導光板に突部を設け、該突部によって液晶パネルを支持するようにしたものである。
【００１８】
従ってこのような液晶表示装置によると、液晶パネルはバックライトの導光板に設けられた突部によって支持されることになる。従って液晶パネルの樹脂枠の外周側の部分に突片等を形成して支持する必要がなくなり、このために液晶パネルの樹脂枠の形状に依存することなくバックライトを組合わせることが可能になる。これによってバックライトの汎用性が向上する。また導光板に突部を設けるだけであるから、とくに部品点数が増加することなく、液晶パネルとバックライトを組合わせることが可能になる。
【発明を実施するための最良の形態】
【００１９】
以下本願発明を図示の実施の形態によって説明する。図１および図５によって、液晶表示装置の構成を説明する。液晶表示装置は前面側あるいは上側の液晶パネル２１と、背面側あるいは下側のバックライト２２とから構成される。ここでとくに液晶パネル２１は一対の液晶２３、２４を備え、その上側には偏光板２５が、下側には偏光板２６がそれぞれ接合されるように配される。そして２枚の液晶２３、２４の外周部を樹脂枠２７によって保持するようにしており、さらにその外側に金属ケース２８が取付けられており、偏平な矩形のパネルを構成している。
【００２０】
これに対して液晶パネル２１の背面側あるいは下側に配されるバックライト２２は導光板３１から構成される。なお導光板３１の側端側には光源が配され、この光源からの光が導光板３１に導かれる。また導光板３１の上側にはレンズフィルム３２、３３と拡散フィルム３４とが、この順で配されるようになっており、拡散フィルム３４が導光板３１の前面あるいは上面に接する。また導光板３１の背面側あるいは下側には反射フィルム３５が配され、下方へ出射した光を反射させて導光板３１に導くようにしている。そしてこのようなバックライト２２はフレーム３６によって囲われるようになっており、フレーム３６がバックライト２２の外筐を構成している。
【００２１】
上記導光板３１にはその周縁部であって４個所の位置に突部３７が形成される。突部３７はとくに図２および図３に示すように、導光板３１上の３枚のフィルム３２、３３、３４の取付け耳４５の両側の切込み４６の内の一方の切込みに受入れられた状態で上記フィルム３２、３３、３４を挿通するようになっており、しかも突部３４の先端が液晶パネル２１の樹脂枠２７を支持するようにしている。
【００２２】
これに対して導光板３１の背面側あるいは下方には背面側に突出する支持部３８が突設されており、このような支持部３８がフレーム３６の底板上に接するようになっており、この支持部３８を介して導光板３１が支持されている。そして支持部３８によって形成される導光板３１とフレーム３６の底板との間の隙間４２に上述の反射フィルム３５が配されることになる。
【００２３】
このような液晶表示装置は、とくに図５に示すように、液晶パネル２１とバックライト２２の２つのユニットから構成される。この構造は、液晶パネル２１の外形が変更されても、金属枠２８と樹脂枠２７の形状を変更することによって、液晶パネル２１の最外形変更を回避できるために、バックライト２２が液晶パネル２１の外形変更の影響を受けず、これによって同一のバックライト２２を汎用して使用することが可能になる。
【００２４】
液晶パネル２１とバックライト２２との間には、レンズフィルム３２のシワを防止するために隙間４１を形成しておく必要がある。実際に例えば大きさが５インチ以下の液晶表示パネル２１においては、背面側の偏光板２６とレンズフィルム３２との間に０．１〜０．２ｍｍ程度の隙間４１を設けている。本実施の形態においては、バックライト２２の導光板３１の上面に突部３７を設けることによって、液晶パネル２１を支え、この隙間４１を確保している。
【００２５】
ここで突部３７は図２および図３に示すように、導光板３１上に重ねて配される３枚のフィルム３２、３３、３４の耳４５の根元側の切込み４６から突出している。耳４５の根元側の切込み４６は、フィルム３２、３３、３４を作成する際に必要なものであって、突部３７を突出させるために設けたものではない。すなわち耳４５は、フィルム３２、３３、３４をバックライト２２のフレーム３６に固定するために必要なものである。
【００２６】
フイルム３２、３３、３４の切込みは、これらのフィルム３２、３３、３４の耳４５の両側の根元に位置するが、突部３７は両側の切込み４６の内の片側の切込み４６を挿通するようにして液晶パネル２１を支持する。すなわち図２に示す構成において、フィルム３２、３３、３４の切込み４６はそれぞれ８個存在するが、突部３７は４つしか設けられていないために、片側の切込み４６のみを用いることになる。突部３７をフィルム３２、３３、３４の耳４５の両側の切込みを挿通するように設けると、突部３７による回折光の影響が顕著になり、これによってバックライト２２の輝度の均一性を損なう。また液晶パネル２１を支えるための突部３７は、耳４５の両側の切込み４６の内の片側の切込み４６を挿通する突部３７で十分である。
【００２７】
また上記突部３７の形状は、図４に示すように、角柱ではなく長円形の柱としてよい。このような突部３７によって、この突部３７に伝播した光の発光方向を拡散し、バックライト２２の輝度の均一性を向上させることができるために、液晶パネル２１の見栄えを損なうことがない。
【００２８】
またバックライト２２の導光板３１の背面側あるいは下面には反射フィルム３５が配される。このような反射フィルム３５として、例えばポリエステルの多層膜フィルムであって、薄型の例えば６５μ程度のフィルムを用いた場合には、この反射フィルム３５に対して荷重が加わると、シワを生じてしまうことになる。従ってこのようなシワの発生を防止するために、反射フィルム３５に荷重がかかることを回避する必要があり、バックライト２２の導光板３１の下面に支持部３８を設けるようにしている。この支持部３８についても、図２および図３と同様に反射フィルム３５の耳４５の根元側の切込みを挿通させるようにし、これによって支持部３８の下側に反射フィルム３５がもぐり込まないようにしている。従ってこれにより、反射フィルム３５が導光板３１から背面側あるいは下方に漏れた光を正しく導光板３１側に反射することになる。
【００２９】
本実施の形態の液晶表示装置によると、液晶パネル２１の金属ケース２８と樹脂枠２７の形状に依存することなくバックライト２２を組合わせることが可能になり、このためにバックライト２２の汎用性が飛躍的に向上する。またバックライト２２の部品点数を増加することなく、液晶パネル２１とバックライト２２とを組合わせることが可能になる。またバックライト２２を構成する部品点数を増加させることなく、しかも反射フィルム３５に荷重が付加されるのを回避することが可能になり、これによって反射フィルム３５のシワの発生が防止される。
【００３０】
以上本願発明を図示の実施の形態によって説明したが、本願発明は上記実施の形態によって限定されることなく、本願発明の技術的思想の範囲内において各種の変更が可能である。例えば上記実施の形態における突部３７や支持部３８の数、形状、設けられる位置等については各種の設計変更が可能である。また本願発明は、バックライトを用いる各種の液晶パネルに利用可能である。
【産業上の利用可能性】
【００３１】
本願発明は、バックライトを有する液晶表示装置に利用することができる。
【図面の簡単な説明】
【００３２】
【図１】液晶表示装置の全体の構造を示す縦断面図である。
【図２】同液晶表示装置のバックライトの部分の平面図である。
【図３】レンズフィルムの取付け耳の部分の構造を示す拡大平面図である。
【図４】導光板に設けられる突部の外観斜視図である。
【図５】液晶パネルの支持構造を示す液晶表示装置の要部拡大断面図である。
【図６】液晶パネルを支持する従来の構造を示す液晶表示装置の要部拡大断面図である。
【符号の説明】
【００３３】
１…液晶パネル、２…バックライト、３…樹脂枠、４…突片、５…金属ケース、６…フレーム、１０…導光板、１１、１２…レンズフィルム、１３…拡散フィルム、１５…内枠、２１…液晶パネル、２２…バックライト、２３、２４…液晶、２５…偏光板（上）、２６…偏光板（下）、２７…樹脂枠、２８…金属ケース、３１…導光板、３２、３３…レンズフィルム、３４…拡散フィルム、３５…反射フィルム、３６…フレーム、３７…突部、３８…支持部、４１、４２…隙間、４５…耳、４６…切込み
【図１】
2008040096.tif 000003
【図２】
2008040096.tif 000004
【図３】
2008040096.tif 000005
【図４】
2008040096.tif 000006
【図５】
2008040096.tif 000007
【図６】
2008040096.tif 000008